(57)【要約】      （修正有）【課題】ロール式トイレットペーパーの一部が、トイレットペーパーの蓋から下側にはみだしており、これを指でつまんで、簡単にトイレットペーパーホルダーから引き出せるロール式トイレットペーパーを提供する。【解決手段】ロール式トイレットペーパーの左縁に対して直角に交差するミシン目を一直線に右側に刻み付けてゆき、ロール式トイレットペーパーの横幅の長さの約８０％に達した地点からミシン目をロール式トイレットペーパーの右縁に達するまで斜め右下に刻み付けてゆく。このようなミシン目の直線部分と斜線部分が結合したミシン目をロール式トイレットペーパーの全長にわたって適当な間隔で多数のミシン目を刻むことにより従来のロール式トイレットペーパーの不便さを解決する。【選択図】図４
2013220344.tif 000002
【特許請求の範囲】
１
ロール式トイレットペーパーの左縁に対して直角に交差するミシン目を一直線に右側に刻みつけてゆき、ロール式トイレットペーパーの横幅の長さの約８０％まで刻む。
この地点からミシン目をロール式トイレットペーパーの右縁に達するまで右斜め下に刻み付ける。このようなミシン目の直線部分と斜線部分が結合したミシン目を多数、ロール式トイレットペーパーの全長にわたって適当な間隔で刻み付けてゆくことを特徴とするロール式トイレットペーパー。
【発明の詳細な説明】
【技術分野】
【０００１】本発明は、ロール式トイレットペーパーの左縁に対して直角に交差するミシン目を一直線に右側に刻みつけてゆき、ロール式トイレットペーパーの横幅の長さの約８０％まで刻む。この地点からミシン目をロール式トイレットペーパーの右縁に達するまで右斜め下に刻み付けることに関するものである。
【背景技術】
【０００２】従来、ロール式トイレットペーパーの一部を千切るためにロール式トイレットペーパーの両端と直角に交差するミシン目が一直線になって多数刻みつけられているロール式トイレットペーパーがあった。
【発明の開示】
【発明が解決しようとする課題】
【０００３】そのため次のような問題点があった。
（イ）従来のロール式トイレットペーパーのミシン目はロール式トイレットペーパーの両縁と直角に交差している。このため、ロール式トイレットペーパーを、トイレットペーパーホルダーの蓋を手で押さえて、一直線に刻まれたミシン目に沿って手でちぎった場合、トイレットペーパーホルダー内に残っているロール式トイレットペーパーの下端はトイレットペーパーホルダーの蓋の直下にあり、次にロール式トイレットペーパーを使用するときトイレットペーパーの下端がなかなか見つけにくく、トイレットペーパーを手で再びトイレットペーパーホルダーから引き出すのが難しい欠点があった。
（ロ）ホテルや旅館などでは、従業員は、客が使用する、トイレの壁面に取り付けられているトイレットペーパーホルダーからロール式トイレットペーパーを少し引きだして、その下端の中央部を三角形に折りたたんで、トイレットペーパーホルダーの蓋の下側から数センチはみ出すようにセットし、客が使用するときに、ロール式トイレットペーパーを容易に引き出せるようにしている。一般家庭においても同様のことが行われる場合があり、毎日煩雑な作業になっている。
（ハ）このような方法では、客が一回ロール式トイレットペーパーを使用したら三角形に折りたたまれたロール式トイレットペーパーの三角形の部分は使用されて消失してしまう。また従業員にとっては毎朝全室に設置されているトイレットペーパーの下端中央部を三角形に折りたたんで、トイレットペーパーホルダーの蓋の下側から数センチはみ出すようにセットする仕事は煩雑で、非能率的であり、不必要な労働負担となっている。
本発明は、これらの問題点を解決するためになされたものである。
【問題を解決するための手段】
【０００４】  （イ）ロール式トイレットペーパーの左縁に対して直角に交差するミシン目を一直線に右側に刻み付けてゆき、ロール式トイレットペーパーの横幅の長さの約８０％まで刻む。この地点からミシン目をロール式トイレットペーパーの右縁に達するまで斜め右下に刻み付けてゆく。このようなミシン目の直線部分と斜線部分が結合したミシン目をロール式トイレットペーパーの全長にわたって適当な間隔で多数のミシン目を刻むロール式トイレットペーパーである。
【発明の効果】
【０００５】  （イ）従来のロール式トイレットペーパーを手でトイレットペーパーホルダーから引っ張り出して使用しようとする時に、ロール式トイレットペーパーの下端がどこにあるか解らない時が頻繁に発生し、ロール式トイレットペーパーをトイレットペーパーホルダーから手で引っ張り出すのが困難な状態が頻発している。
（ロ）また旅館やホテルの従業員は毎朝、各部屋のトイレに備えられている従来のロール式トイレットペーパーを手でトイレットペーパーホルダーから引っ張り出してその下端中央部を三角形に折りたたんでトイレットペーパーホルダーの蓋の下端から数センチはみ出すようにセットし宿泊客が容易にロール式トイレットペーパーをトイレットペーパーホルダーから手で引っ張り出せるようにしなければならない。
（ハ）本発明はロール式トイレットペーパーに刻まれているミシン目の長さがロール式トイレットペーパーの横幅の長さの約８０％に達した地点から斜め右下に刻まれたミシン目があるのでロール式トイレットペーパーを手で千切るときに、ロール式トイレットペーパーの横幅の長さの約８０％は直線に切り取られるが、この８０％地点からは斜め右下に刻まれているミシン目に沿って切り取られてゆく。これによってロール式トイレットペーパーに刻まれた、斜め右下に刻まれているミシン目の部分が常にトイレットペーパーホルダーの蓋から下側にはみだしており、これを指でつまんで、簡単にトイレットペーパーホルダーから引き出せる利便性を提供できる。
（ニ）この利便性のために、従来のロール式トイレットペーパーの下端がどこにあるか解らないというような問題や、また旅館やホテルの従業員が毎朝、各部屋のトイレに備えられている従来のロール式トイレットペーパーを手でトイレットペーパーホルダーから引っ張り出してその下端中央部を三角形に折りたたんでトイレットペーパーホルダーの蓋の下端から下側に数センチはみ出すようにセットしなければならない煩雑な問題が解決される。
【発明を実施するための最良の形態】
【０００６】本発明は以上の構成で、以下に実施の形態について説明する。
（イ）ロール式トイレットペーパー（２）の左縁（７）に対して直角に交わるミシン目（４，５、）を一直線に右側に刻み付けてゆき、ロール式トイレットペーパーの横幅の長さの約８０％まで刻む。この地点からミシン目をロール式トイレットペーパーの右縁に達するまで右斜め下に刻み付ける。
（ロ）このようにミシン目が刻まれたロール式トイレットペーパーをトイレットの壁面に取り付けられたトイレットペーパーホルダーにセットする（図４）。
（ハ）この様な構造で、本発明のロール式トイレットペーパー（図４）を使用するときは、本発明のロール式トイレットペーパー（図４）を必要な長さだけ引っ張り出し、ミシン目の直線部分（９）をトイレットペーパーホルダーの蓋の下端に持って行き、この蓋を片方の手で押さえ、もう一方の手で本発明のロール式トイレットペーパーを引っ張りながら千切る（図５）。
（ニ）これによりロール式トイレットペーパーは引き裂かれるが、トイレットペーパーホルダー内に残っている本発明のロール式トイレットペーパーは、斜め右下に刻まれたミシン目の部分に沿って引き裂かれるので、この部分は確実にトイレットペーパーホルダーの蓋の下端から外に露出しており（図２）、この部分を簡単に視認できる。
（ホ）このために、次回に本発明のロール式トイレットペーパーを使用するときは斜め右下に刻まれたミシン目の部分が蓋の下端から外に露出しているので、これを指でつまんで、ロール式トイレットペーパーをトイレットペーパーホルダーから容易に引き出すことができる。
【図面の簡単な説明】
【０００７】
【図１】  トイレットペーパーホルダーにセットされた従来のロール式トイレットペーパーの斜視図。
【図２】  トイレットペーパーホルダーにセットされた本発明のロール式トイレットペーパーの斜視図。
【図３】  トイレットペーパーホルダーにセットされた従来のロール式トイレットペーパーの展開図。
【図４】  トイレットペーパーホルダーにセットされた本発明のロール式トイレットペーパーの展開図。
【図５】  途中まで千切られている本発明のロール式トイレットペーパーの正面図。
【図６】  トイレットペーパーホルダーにセットされた従来のロール式トイレットペーパーの下端の中央部を三角形に折りたたみ、ホルダーの蓋の下端から露出させている斜視図。
【符号の説明】
【０００８】    １  トイレットペーパーホルダー
２  ロール式トイレットペーパー
３  トイレットペーパーホルダーの蓋
４  従来のミシン目
５  本発明のミシン目
６  中央部を三角形に折りたたんだトイレットペーパー。
７  ロール式トイレットペーパーの左縁
８  ロール式トイレットペーパーの右縁
９  ミシン目の直線部分。１０  ミシン目の斜線部分
2013220344.tif 000003
2013220344.tif 000004
【図５】
2013220344.tif 000005
【図６】
2013220344.tif 000006
【図４】
2013220344.tif 000007
【手続補正書】
【提出日】平成24年9月30日(2012.9.30)
【手続補正１】
【補正対象書類名】図面
【補正対象項目名】全図
【補正方法】変更
【補正の内容】
【図１】
2013220344.tif 000008
【図２】
2013220344.tif 000009
【図３】
2013220344.tif 000010
【図４】
2013220344.tif 000011
【図５】
2013220344.tif 000012
【図６】
2013220344.tif 000013